(57)【要約】【課題】紙幣識別部を共用化した紙幣識別装置を提供する。【解決手段】紙幣識別部３０は、これに隣接配置されるプッシャ部から離れた位置に配置される第１搬送ローラ３３と、プッシャ部に近い位置に配置される第２搬送ローラ３４とを有し、これらを本体フレーム１０の取り付け面１４よりも紙幣入口ガイド部２０ａまたは２０ｂの側に突出させるようにした。これにより、紙幣入口２１の位置が異なる紙幣入口ガイド部２０ａ，２０ｂを本体フレーム１０に取り付けたときに、第１搬送ローラ３３および第２搬送ローラ３４は、入口押えローラ２２，２３または２７と協働して投入紙幣搬送路２４を構成することができる。内部構造の異なる紙幣入口ガイド部２０ａ，２０ｂを取り付けても、紙幣識別部３０は、内部構造を変更することなく、共用して使用することができる。【選択図】図２
2010128689.tif 000002
【特許請求の範囲】
【請求項１】
本体フレームの正面側に取り付けられて投入された紙幣を内部へ取り込む紙幣入口ガイド部と、前記紙幣入口ガイド部に対応する前記本体フレームの裏面側に取り付けられて前記紙幣入口ガイド部により取り込まれた紙幣を識別する紙幣識別部と、前記本体フレームの裏面側に前記紙幣識別部に隣接して取り付けられたプッシャ部と、前記プッシャ部に装着され前記紙幣識別部から前記プッシャ部との間に搬送されてきた紙幣が前記プッシャ部によって押し込まれることにより内部に積層収納される紙幣収納部とを備えた紙幣識別装置において、
前記紙幣識別部は、前記プッシャ部から離れた位置に配置された第１搬送ローラと、前記プッシャ部に近い位置に配置された第２搬送ローラと、前記第１搬送ローラおよび前記第２搬送ローラの前記本体フレームのある側とは反対側に配置され前記第１搬送ローラおよび前記第２搬送ローラと協働して前記本体フレームの取り付け面に平行な識別紙幣搬送用の識別紙幣搬送路を構成する第１押えローラおよび第２押えローラとを有し、
前記第１搬送ローラおよび前記第２搬送ローラは、それらの前記紙幣入口ガイド部の側の面が前記本体フレームの正面側に突出するように配置され、前記第１搬送ローラおよび前記第２搬送ローラの少なくとも一方が前記紙幣入口ガイド部に配置される入口押えローラと協働して投入紙幣搬送用の投入紙幣搬送路を構成するようにしたこと特徴とする紙幣識別装置。
【請求項２】
前記紙幣識別部は、前記第１搬送ローラおよび前記第２搬送ローラの少なくとも一方に近接配置された紙幣突入センサを有し、
前記紙幣入口ガイド部は、前記投入紙幣搬送路の紙幣入口側にて一端が前記投入紙幣搬送路を遮るように配置され、他端が前記本体フレームに穿設された窓を介して前記紙幣突入センサまで延出された検知レバーを有している請求項１記載の紙幣識別装置。
【請求項３】
前記紙幣入口ガイド部は、前記第２搬送ローラの近傍に設置された紙幣入口の開口部から前記第１搬送ローラ、前記第２搬送ローラおよび前記入口押えローラによって前記識別紙幣搬送路と平行に構成される前記投入紙幣搬送路の紙幣入口側まで延出された紙幣ガイドを有している請求項１記載の紙幣識別装置。
【請求項４】
前記紙幣入口ガイド部は、前記第１搬送ローラの近傍に設置された紙幣入口の開口部から前記第１搬送ローラおよび前記入口押えローラで構成される前記投入紙幣搬送路まで延出された紙幣ガイドを有している請求項１記載の紙幣識別装置。
【発明の詳細な説明】
【技術分野】
【０００１】
本発明は紙幣識別装置に関し、特に自動販売機や駐車場向け精算機などにおいて投入された紙幣を識別して収納する処理を行う紙幣識別装置に関する。
【背景技術】
【０００２】
自動販売機では、その正面の扉の裏側に紙幣識別装置が取り付けられている。紙幣識別装置は、投入された紙幣を内部へ取り込む紙幣入口ガイド部と、取り込まれた紙幣を識別する紙幣識別部と、識別された紙幣を収納しておく紙幣収納部と、識別された紙幣を紙幣収納部へ押し込むプッシャ部とを備えている。紙幣入口ガイド部は、長方形の本体フレームの正面側の端に取り付けられ、紙幣識別部は、紙幣入口ガイド部に対応する本体フレームの裏面側に取り付けられている。プッシャ部は、本体フレームの裏面側に紙幣識別部に隣接して取り付けられ、紙幣収納部は、プッシャ部に着脱可能に取り付けられている。紙幣収納部およびプッシャ部は、重なり合った状態で配置され、その紙幣収納部とプッシャ部との間には紙幣識別部で識別された紙幣が送り込まれ、送り込まれた紙幣は、プッシャ部によって紙幣収納部に押し込まれてその中に積載収納されるように構成されている（たとえば、特許文献１参照）。
【０００３】
紙幣識別装置は、自動販売機以外にも各種用途に用いられており、それぞれ適用される機器の事情により取り付け方に幾つかのタイプがある。たとえば、紙幣識別部を上に、プッシャ部を下にして紙幣識別装置を取り付ける正取付型と、紙幣識別部を下に、プッシャ部を上にして紙幣識別装置を取り付ける倒立型とがあり、正取付型にするか倒立型にするかは、内部の取り付けスペースの関係や硬貨識別部などの他の機能部品との配置の関係などから決められている。また、紙幣入口ガイド部は、紙幣識別装置が自動販売機のどの高さ位置に取り付けられているか、または、自動販売機の設置環境によって、紙幣を投入する方向や紙幣入口の開口部の位置、さらには、紙幣の突入を検知するセンサの設置位置を変更している。たとえば、紙幣識別装置を自動販売機の高い位置に設置する場合、紙幣ガイドは、紙幣を斜め上方向に挿入するように構成され、その紙幣入口の開口部の近傍に紙幣突入センサが設けられている。紙幣識別装置を利用者の目線に近い位置に設置する場合には、紙幣ガイドは、紙幣を水平方向に挿入して直接紙幣識別部に導入するように構成され、紙幣突入センサは紙幣を引き込むローラを備えた紙幣識別部の側に設けられている。さらに、屋外に設置される自動販売機の場合、紙幣入口ガイド部は、紙幣入口の開口部から紙幣識別部へ渡すまでの距離を長くし、その間の紙幣ガイドに紙幣入口の開口部から進入した雨水を排水する機構を設けるなどしている。
【０００４】
このように、紙幣識別装置は、取り付けられる機器によって種々の形態が存在し、その分だけ、紙幣入口ガイド部および紙幣識別部の構成を変更してそれぞれの形態に対応するようにしている。
【特許文献１】特許第４１３６６０５号公報
【発明の開示】
【発明が解決しようとする課題】
【０００５】
しかしながら、紙幣識別装置を取り付ける機器に応じて紙幣入口ガイド部および紙幣識別部の構成を変更することは、多くの種類の紙幣識別装置を製造する必要があり、新規の機器に適用する場合には、紙幣入口ガイド部および紙幣識別部を新たに設計する必要があるため、量産効果が期待できず、多品種の紙幣識別部を製造・管理しなければならないという問題点があった。
【０００６】
本発明はこのような点に鑑みてなされたものであり、取り付けられる機器に応じて構造の変更が必要な紙幣入口ガイド部は除いて、少なくとも紙幣識別部については、ほぼ共用化が可能な構造を有する紙幣識別装置を提供することを目的とする。
【課題を解決するための手段】
【０００７】
本発明では上記問題を解決するために、本体フレームの正面側に取り付けられて投入された紙幣を内部へ取り込む紙幣入口ガイド部と、前記紙幣入口ガイド部に対応する前記本体フレームの裏面側に取り付けられて前記紙幣入口ガイド部により取り込まれた紙幣を識別する紙幣識別部と、前記本体フレームの裏面側に前記紙幣識別部に隣接して取り付けられたプッシャ部と、前記プッシャ部に装着され前記紙幣識別部から前記プッシャ部との間に搬送されてきた紙幣が前記プッシャ部によって押し込まれることにより内部に積層収納される紙幣収納部とを備えた紙幣識別装置において、前記紙幣識別部は、前記プッシャ部から離れた位置に配置された第１搬送ローラと、前記プッシャ部に近い位置に配置された第２搬送ローラと、前記第１搬送ローラおよび前記第２搬送ローラの前記本体フレームのある側とは反対側に配置され前記第１搬送ローラおよび前記第２搬送ローラと協働して前記本体フレームの取り付け面に平行な識別紙幣搬送用の識別紙幣搬送路を構成する第１押えローラおよび第２押えローラとを有し、前記第１搬送ローラおよび前記第２搬送ローラは、それらの前記紙幣入口ガイド部の側の面が前記本体フレームの正面側に突出するように配置され、前記第１搬送ローラおよび前記第２搬送ローラの少なくとも一方が前記紙幣入口ガイド部に配置される入口押えローラと協働して投入紙幣搬送用の投入紙幣搬送路を構成するようにしたこと特徴とする紙幣識別装置が提供される。
【０００８】
このような紙幣識別装置によれば、紙幣識別部の第１搬送ローラおよび第２搬送ローラを本体フレームの正面側に突出するように構成した。紙幣識別部の第１搬送ローラの一部が紙幣入口ガイド部内にあることで、第１搬送ローラと協働して、投入された紙幣を引き込んで紙幣識別部に向けて搬送するための入口押えローラを紙幣入口ガイド部内に配置することが可能になるため、あらゆるタイプの紙幣識別装置において紙幣識別部の共用化が可能となる。
【発明の効果】
【０００９】
上記構成の紙幣識別装置は、紙幣識別部の構成がプッシャ部から離れた位置にあって識別紙幣搬送路の入口側を構成する第１搬送ローラを本体フレームの正面側に突出するようにしていることで、第１搬送ローラと協働して投入された紙幣を紙幣識別部に導入するための入口押えローラを紙幣入口ガイド部内に配置できることから、従来、取り付け形態によっては紙幣識別部の側に設ける必要があった押えローラを不要にすることができ、このため、紙幣識別部を共用化することができるという利点がある。
【００１０】
紙幣識別部の第１搬送ローラおよび第２搬送ローラが本体フレームの正面側に突出するように構成されているため、紙幣入口ガイド部の投入紙幣搬送路を構成する投入紙幣搬送用の駆動源を紙幣識別部から得ることができる。
【００１１】
紙幣識別部を共用化することができたので、新規の機器に対応させるには、紙幣入口ガイド部のみを新たに設計すればよいので、開発コストが低減し、開発期間を大幅に短縮することができる。
【発明を実施するための最良の形態】
【００１２】
以下、本発明の実施の形態について、自動販売機に適用した場合を例に図面を参照して詳細に説明する。
図１は紙幣識別装置の外観を示す斜視図である。
【００１３】
紙幣識別装置は、図の上下方向に細長い長方形の本体フレーム１０を有し、この本体フレーム１０にユニット別に作られた各種機能部が取り付けられることによって構成されている。本体フレーム１０の正面側には、投入された紙幣を引き込んで内部へ送り込む紙幣入口ガイド部２０が設けられている。この紙幣入口ガイド部２０は、紙幣識別装置が自動販売機の正面の扉に内側から取り付けられたときに、少なくとも紙幣入口２１の開口部がその扉を貫通して外部に露出される。
【００１４】
本体フレーム１０の紙幣入口ガイド部２０に対応する位置の裏面側には、紙幣識別部３０が設けられている。紙幣識別部３０は、その側面の図の上端側に回転軸３１が突設され、図の下端側には内側に変形可能なロック解除操作部が形成され、そのロック解除操作部の外側の面にはフック部３２が形成されている。紙幣識別部３０は、回転軸３１と本体フレーム１０の係止孔１１に係止されるフック部３２とによって本体フレーム１０に着脱自在に取り付けられている。
【００１５】
本体フレーム１０の裏面側において、紙幣識別部３０に隣接してプッシャ部４０が設けられている。このプッシャ部４０は、その側面にガイドピン４１が突設され、本体フレーム１０の取り付け面の側にフック部４２が形成されている。プッシャ部４０は、本体フレーム１０の側面に形成されたＬ字状の切欠きガイド１２に沿ってガイドピン４１を移動させることにより、フック部４２を本体フレーム１０に穿設された係止孔１３に係止させることができ、これによって、プッシャ部４０が本体フレーム１０に着脱可能に取り付けられることになる。このとき、プッシャ部４０のフレーム側面が紙幣識別部３０のロック解除操作部を覆うように位置することにより、紙幣識別部３０が本体フレーム１０から容易に外すことができないようにしている。
【００１６】
このようにして本体フレーム１０に取り付けられたプッシャ部４０の中には、図示しない紙幣収納部が装着されている。この紙幣収納部は、紙幣入口ガイド部２０の紙幣入口２１から投入され、紙幣識別部３０にて識別された紙幣がプッシャ部４０によって押し込まれることにより収納される。次に、正取付型および倒立型の紙幣識別装置の構成例について説明する。
【００１７】
図２は正取付型の紙幣識別装置に紙幣入口ガイド部を取り付ける前の状態を示す説明図、図３は紙幣入口ガイド部を取り付けた状態を示す説明図であって、（Ａ）は紙幣入口の開口部が第２搬送ローラの近傍に設けられている紙幣入口ガイド部の場合を示し、（Ｂ）は紙幣入口の開口部が第１搬送ローラの近傍に設けられている紙幣入口ガイド部の場合を示した図、図４は倒立型の紙幣識別装置に紙幣入口ガイド部を取り付ける場合の説明図であって、（Ａ）は紙幣識別装置に紙幣入口ガイド部を取り付ける前の状態を示す説明図、（Ｂ）は紙幣識別装置に紙幣入口ガイド部を取り付けた状態を示す説明図である。なお、図中の太い実線の矢印は、紙幣の流れを示している。
【００１８】
正取付型の紙幣識別装置は、図１に示したように、本体フレーム１０の上側に紙幣識別部３０を配置し、その下側にプッシャ部４０を配置した状態で、自動販売機に取り付けられる。
【００１９】
紙幣識別部３０は、この下側に取り付けられるプッシャ部４０から離れた位置（図の上側）に第１搬送ローラ３３が配置され、プッシャ部４０に近い位置（図の下側）に第２搬送ローラ３４が配置されている。第１搬送ローラ３３および第２搬送ローラ３４は、それらの紙幣入口ガイド部２０の側の面が本体フレーム１０の正面側における紙幣入口ガイド部２０の取り付け面１４よりも突出して配置されている。したがって、第１搬送ローラ３３および第２搬送ローラ３４は、従来のように紙幣識別部３０の中だけで使用されるのではなく、紙幣入口ガイド部２０の一部として機能するように従来のものよりも大径化されている。
【００２０】
第１搬送ローラ３３および第２搬送ローラ３４の本体フレーム１０のある側とは反対側には、第１押えローラ３５および第２押えローラ３６が第１搬送ローラ３３および第２搬送ローラ３４に向かって付勢された状態で近接配置されている。第１搬送ローラ３３および第２搬送ローラ３４は、第１押えローラ３５および第２押えローラ３６と協働して本体フレーム１０の取り付け面１４に平行な識別紙幣搬送路３７を構成している。
【００２１】
紙幣識別部３０は、また、第１搬送ローラ３３および第２搬送ローラ３４の近傍に紙幣突入センサ３８，３９が近接配置されている。本体フレーム１０は、この紙幣突入センサ３８，３９が配置されている位置に対応して窓が穿設されており、それらの窓を介して、紙幣入口ガイド部２０における紙幣の突入動作を検出できるようにしている。なお、これらの紙幣突入センサ３８，３９は、好ましくは、その両方を紙幣識別部３０に備えることで、紙幣識別部３０は、あらゆるタイプの紙幣識別装置に共用して用いることが可能になる。しかし、実際には、紙幣突入センサ３８，３９のいずれか一方しか使用しないため、紙幣識別部３０は、紙幣入口ガイド部２０の構造に応じて、紙幣突入センサ３８だけまたは紙幣突入センサ３９だけを備えることになる。
【００２２】
紙幣入口ガイド部２０として、図２には、２種類の紙幣入口ガイド部２０ａ，２０ｂを示している。紙幣入口ガイド部２０ａは、紙幣入口２１の開口部が第２搬送ローラ３４の側に設けられており、紙幣入口ガイド部２０ｂは、紙幣入口２１の開口部が第１搬送ローラ３３の側に設けられている。
【００２３】
紙幣入口ガイド部２０ａは、これが本体フレーム１０に取り付けられたときに第１搬送ローラ３３および第２搬送ローラ３４に対応する位置に入口押えローラ２２，２３を備えている。入口押えローラ２２，２３は、第１搬送ローラ３３および第２搬送ローラ３４に向かって付勢された状態で配置され、これによって、投入紙幣搬送路２４を構成している。この投入紙幣搬送路２４の紙幣入口２１の側には、紙幣入口２１の開口部から延出されて投入紙幣を投入紙幣搬送路２４まで案内する紙幣ガイド２５が形成されている。投入紙幣搬送路２４に投入紙幣が送り込まれる側、つまり、入口押えローラ２３の近傍には、検知レバー２６が回動自在に設けられている。この検知レバー２６は、投入紙幣搬送路２４の紙幣入口２１側にて一端が投入紙幣搬送路２４を遮るよう付勢状態で配置され、他端が本体フレーム１０に穿設された窓を介して紙幣突入センサ３９まで延出されている。これにより、検知レバー２６は、紙幣の突入がない待機状態では、一端が投入紙幣搬送路２４を遮る位置にあり、他端が紙幣突入センサ３９の外に位置している。
【００２４】
この紙幣入口ガイド部２０ａを本体フレーム１０に取り付けると、図３の（Ａ）に示したように、入口押えローラ２２，２３が第１搬送ローラ３３および第２搬送ローラ３４をそれぞれ押し付けるようになる。これにより、入口押えローラ２３および第２搬送ローラ３４が紙幣入口２１より投入された紙幣を引き込み、入口押えローラ２２および第１搬送ローラ３３が引き込んだ紙幣を紙幣識別部３０に送り出すことになる。ここで、紙幣の突入があると、検知レバー２６は、紙幣によって投入紙幣搬送路２４から押し退けられ、それに連動して、他端が紙幣突入センサ３９に接近する方向に動いて、紙幣の突入が検出される。具体的には、紙幣突入センサ３９は、フォトインタラプタで構成され、その光軸を検知レバー２６の他端が遮光することによって紙幣の突入を検出している。紙幣の突入が検出されると、第１搬送ローラ３３および第２搬送ローラ３４は、図示しないモータによって、時計回り方向に回転駆動される。
【００２５】
紙幣入口ガイド部２０ａの入口押えローラ２２および第１搬送ローラ３３によって送り出された紙幣は、第１搬送ローラ３３の外周面に沿って搬送方向が反転され、紙幣識別部３０に送られる。紙幣識別部３０では、第１搬送ローラ３３と第１押えローラ３５とによって紙幣が受け取られ、出口側に配置された第２搬送ローラ３４および第２押えローラ３６へ送り出される。識別紙幣搬送路３７には紙幣の金種および真贋を判定するための各種センサが近接配置されており、紙幣は、識別紙幣搬送路３７を通過する間に識別される。識別の結果、正規の紙幣ではないと判断されると、第１搬送ローラ３３および第２搬送ローラ３４は、反時計回り方向に逆転駆動され、紙幣入口ガイド部２０ａの紙幣入口２１から返却される。紙幣識別部３０で識別された正規の紙幣は、紙幣識別部３０の下方に配置されたプッシャ部４０および紙幣収納部に送られ、最終的には、紙幣収納部の中に収納される。
【００２６】
紙幣入口ガイド部２０ｂは、これが本体フレーム１０に取り付けられたときに第１搬送ローラ３３に対応する位置に入口押えローラ２７を備えている。入口押えローラ２７は、第１搬送ローラ３３に向かって付勢された状態で配置され、これによって、投入紙幣の搬送力を確保している。この入口押えローラ２７の近傍には、紙幣入口２１の開口部から延出されて投入紙幣を水平方向にストレートに案内する紙幣ガイド２５が形成され、かつ、検知レバー２６が回動自在に設けられている。
【００２７】
この紙幣入口ガイド部２０ｂを本体フレーム１０に取り付けると、図３の（Ｂ）に示したように、入口押えローラ２７が第１搬送ローラ３３を押し付けるようになる。これにより、入口押えローラ２７および第１搬送ローラ３３は、紙幣入口２１より水平方向に投入された紙幣を引き込んで紙幣識別部３０に送り出す投入紙幣搬送路２４を構成することになる。ここで、紙幣の突入があると、その突入が検知レバー２６により検出され、第１搬送ローラ３３は、時計回り方向に回転駆動される。
【００２８】
紙幣入口ガイド部２０ｂの入口押えローラ２７および紙幣識別部３０の第１搬送ローラ３３によって引き込まれた紙幣は、第１搬送ローラ３３の外周面に沿って搬送方向が概略直角方向に変更され、紙幣識別部３０に送られる。紙幣識別部３０では、紙幣が識別紙幣搬送路３７を通過する間にその紙幣が識別され、識別された正規の紙幣は、紙幣識別部３０の下方に配置されたプッシャ部４０および紙幣収納部に送られ、紙幣収納部に収納される。
【００２９】
倒立型の紙幣識別装置は、図４の（Ａ）に示したように、本体フレーム１０の下側に紙幣識別部３０を配置し、その上側にプッシャ部４０を配置した状態で、自動販売機に取り付けられる。紙幣識別部３０は、図１に示したものと同じであってそれを上下反転させたものであるが、ここでは、第２搬送ローラ３４の側に紙幣突入センサ３９を取り付けているが、第１搬送ローラ３３の側の紙幣突入センサ３８は取り付けられていない。
【００３０】
紙幣入口ガイド部２０ｃは、これが本体フレーム１０に取り付けられたときに第１搬送ローラ３３および第２搬送ローラ３４に対応する位置に入口押えローラ２２，２３を備え、第１搬送ローラ３３および第２搬送ローラ３４と協働して投入紙幣搬送路２４を構成している。この投入紙幣搬送路２４の紙幣入口２１の側には、紙幣入口２１の開口部から延出されて投入紙幣を投入紙幣搬送路２４まで案内する紙幣ガイド２５が形成され、入口押えローラ２３の近傍に検知レバー２６が回動自在に設けられている。
【００３１】
この紙幣入口ガイド部２０ｃを本体フレーム１０に取り付けると、図４の（Ｂ）に示したように、入口押えローラ２２，２３が第１搬送ローラ３３および第２搬送ローラ３４をそれぞれ押し付けるようになる。これにより、入口押えローラ２３および第２搬送ローラ３４が紙幣入口２１より投入された紙幣を引き込み、入口押えローラ２２および第１搬送ローラ３３が引き込んだ紙幣を紙幣識別部３０に送り出すことになる。ここで、紙幣の突入があると、検知レバー２６により紙幣の突入が検出され、第１搬送ローラ３３および第２搬送ローラ３４が反時計回り方向に回転駆動される。
【００３２】
紙幣入口ガイド部２０ｃの入口押えローラ２２および第１搬送ローラ３３によって送り出された紙幣は、第１搬送ローラ３３の外周面に沿って搬送方向が反転され、紙幣識別部３０に送られる。紙幣識別部３０では、識別紙幣が識別紙幣搬送路３７を通過する間に識別され、その後、紙幣収納部に収納される。
【００３３】
図５は紙幣を斜め上方向に投入する正取付型または倒立型の紙幣識別装置に適用される紙幣識別部の外観例を示す斜視図、図６は紙幣を水平方向に投入する正取付型の紙幣識別装置に適用される紙幣識別部の外観例を示す斜視図である。
【００３４】
図３の（Ａ）に示した正取付型の紙幣識別装置、または、図４に示した倒立型の紙幣識別装置において、紙幣入口２１が紙幣識別部３０の第２搬送ローラ３４の近傍に形成されているタイプの紙幣入口ガイド部２０ａ，２０ｃを取り付ける場合、紙幣突入センサ３９は第２搬送ローラ３４の近傍に取り付けられる。具体的には、図５に示したように、紙幣突入センサ３９は、紙幣識別部３０のフレーム内に設けられたプリント基板に実装され、両側に設置されている第２搬送ローラ３４の間のフレームに穿設された開口部を介して本体フレーム１０の側に露出されている。
【００３５】
また、図３の（Ｂ）に示すように、紙幣入口２１が紙幣識別部３０の第１搬送ローラ３３の近傍に形成されている紙幣入口ガイド部２０ｂを取り付ける正取付型の紙幣識別装置の場合、紙幣突入センサ３８は、図６に示したように、紙幣識別部３０のフレーム内に設けられたプリント基板に実装され、第１搬送ローラ３３の間のフレームに穿設された開口部を介して本体フレーム１０の側に露出されている。
【００３６】
要するに、あらゆるタイプの紙幣入口ガイド部２０ａ，２０ｂ，２０ｃと組み合わされる紙幣識別部３０としては、僅かに２種類あればよく、もちろん、紙幣識別部３０が紙幣突入センサ３８，３９を搭載している場合は、完全に共用化が可能となる。
【図面の簡単な説明】
【００３７】
【図１】紙幣識別装置の外観を示す斜視図である。
【図２】正取付型の紙幣識別装置に紙幣入口ガイド部を取り付ける前の状態を示す説明図である。
【図３】紙幣入口ガイド部を取り付けた状態を示す説明図であって、（Ａ）は紙幣入口の開口部が第２搬送ローラの近傍に設けられている紙幣入口ガイド部の場合を示し、（Ｂ）は紙幣入口の開口部が第１搬送ローラの近傍に設けられている紙幣入口ガイド部の場合を示した図である。
【図４】倒立型の紙幣識別装置に紙幣入口ガイド部を取り付ける場合の説明図であって、（Ａ）は紙幣識別装置に紙幣入口ガイド部を取り付ける前の状態を示す説明図、（Ｂ）は紙幣識別装置に紙幣入口ガイド部を取り付けた状態を示す説明図である。
【図５】紙幣を斜め上方向に投入する正取付型または倒立型の紙幣識別装置に適用される紙幣識別部の外観例を示す斜視図である。
【図６】紙幣を水平方向に投入する正取付型の紙幣識別装置に適用される紙幣識別部の外観例を示す斜視図である。
【符号の説明】
【００３８】
１０  本体フレーム
１１  係止孔
１２  切欠きガイド
１３  係止孔
１４  取り付け面
２０，２０ａ，２０ｂ，２０ｃ  紙幣入口ガイド部
２１  紙幣入口
２２，２３  入口押えローラ
２４  投入紙幣搬送路
２５  紙幣ガイド
２６  検知レバー
２７  入口押えローラ
３０  紙幣識別部
３１  回転軸
３２  フック部
３３  第１搬送ローラ
３４  第２搬送ローラ
３５  第１押えローラ
３６  第２押えローラ
３７  識別紙幣搬送路
３８，３９  紙幣突入センサ
４０  プッシャ部
４１  ガイドピン
４２  フック部
【図１】
2010128689.tif 000003
【図２】
2010128689.tif 000004
【図３】
2010128689.tif 000005
【図４】
2010128689.tif 000006
【図５】
2010128689.tif 000007
【図６】
2010128689.tif 000008